【事件の表示】
　特願２００５−　３３４４１「ディスク装置のスピンドルモータ」拒絶査定不服審判事件〔平成１７年　６月　２日出願公開，特開２００５−１４３２９５〕について，次のとおり審決する。
【結　論】
　本件審判の請求は，成り立たない。
【理　由】
１．手続きの経緯・本願の発明
　本願は，平成１４年２月２０日に出願した特願２００２−４２６２９号の一部を平成１７年２月９日に新たな特許出願としたものであって，請求項１に係る発明（以下「本願発明」という。）は，明細書及び図面の記載からみて，その特許請求の範囲の請求項１に記載された事項により特定される次のとおりのものと認められる。
　　　
「軸部材と、該軸部材と一体に回転するディスクハブと、該軸部材を回転自在に非接触支持する動圧軸受装置とを備え、ステータとロータとの間の励磁力で前記軸部材及びディスクハブを回転させるディスク装置のスピンドルモータにおいて、
　前記動圧軸受装置は、ハウジングと、該ハウジングの内周に固定された軸受スリーブと、軸部およびフランジ部を有する軸部材と、前記軸受スリーブの内周面と前記軸部の外周面との間のラジアル軸受隙間に生じる潤滑油の動圧作用で前記軸部をラジアル方向に非接触支持するラジアル軸受部と、スラスト軸受隙間に生じる潤滑油の動圧作用で前記フランジ部をスラスト方向に非接触支持するスラスト軸受部とを備え、
　前記軸受スリーブが焼結金属で形成され、前記ハウジングにレーザビーム溶接又は高周波パルス接合で固定されていることを特徴とするディスク装置のスピンドルモータ。」
　　
２．引用刊行物
　原査定の拒絶の理由に引用された特開２００１−２８９２４２号公報（以下「引用例」という。），特開２００２−４８１３３号公報（以下「周知例１」という。），特開平８−３３６２６５号公報（以下「周知例２」という。）には，図面と共に次の事項が記載されている。
　　
（２−１）引用例
　・「【０００１】
【発明の属する技術分野】本発明は、情報機器，音響・映像機器，事務機用の流体軸受スピンドルモータに係り、特に、ノート型パソコン等に使用される磁気ディスク装置（ＨＤＤ），ファンモータ等に最適な流体軸受スピンドルモータに関する。
【０００２】
【従来の技術】従来のこの種の流体軸受スピンドルモータとしては、例えば図３に示すようなＨＤＤ用スピンドルモータがある。このものは、ベース１に立設した円筒部１ａに快削黄銅からなるスリーブ２が固着されており、そのスリーブ２にステンレス鋼からなる軸３が回転自在に挿通されている。この軸３の上端には逆カップ状のハブ４が一体的に取り付けられていて、軸３とスリーブ２との間には動圧流体軸受部が介在している。
【０００３】すなわち、軸３の下端にはステンレス鋼からなる円板状のスラストプレート５が圧入により固着されていて、スラストプレート５の両平面がスラスト流体軸受Ｓのスラスト受面５ｓ，５ｓとされている。そして、上面側のスラスト受面５ｓには一方の相手部材であるスリーブ２の下端面が対向し、このスリーブ２の下端面がスラスト流体軸受Ｓのスラスト軸受面２ｓとされている。
【０００４】また、スラストプレート５の下方には、他方の相手部材であり快削黄銅からなるカウンタープレート６が配置され、ベース１に固定されている。このカウンタープレート６の上面がスラストプレート５の下面側のスラスト受面５ｓに対向して、スラスト流体軸受Ｓのスラスト軸受面６ｓとされている。上記スラスト受面５ｓ，５ｓ及びスラスト軸受面２ｓ，６ｓのうち少なくとも両スラスト受面５ｓ，５ｓに、エッチングにより形成されたヘリングボーン状又はスパイラル状の動圧発生用の溝（図示せず）を備えてスラスト流体軸受Ｓが構成されている。
【０００５】さらに、軸３の外周面には、上下に間隔をおいて一対のラジアル受面３ｒが形成されている。また、このラジアル受面３ｒに対向させて、スリーブ２の内周面にラジアル軸受面２ｒが形成されている。そして、ラジアル受面３ｒとラジアル軸受面２ｒとの少なくとも一方に、例えばヘリングボーン状の動圧発生用の溝７を備えて、ラジアル流体軸受Ｒが構成されている。
【０００６】そして、円筒部１ａの外周にはステータ８が固定され、ハブ４の内周面下側に固定されているロータ磁石９とギャップを介して周面対向して駆動モー夕Ｍを形成しており、軸３とハブ４とが一体的に回転駆動される。軸３が回転すると、スラスト流体軸受Ｓ及びラジアル流体軸受Ｒの各動圧発生用の溝のポンピング作用により、各流体軸受Ｓ，Ｒの軸受すきまの潤滑剤に動圧が発生して、軸３はスリーブ２及びカウンタープレート６と非接触となり支承される。」
　　　
　・図３には，スピンドルモータの軸３の下端にスラストプレートが固着されて「軸部材」を構成し，該「軸部材」が動圧流体軸受部により，回転自在に非接触支持された態様が示されている。
　　　
　上記の記載事項及び図示内容を総合すると，引用例には，次の事項からなる発明（以下「引用発明」という。）が記載されていると認められる。
「軸部材と，該軸部材と一体に回転するハブ４と，該軸部材を回転自在に非接触支持する動圧流体軸受部とを備え，ステータ８とロータ磁石９との間の励磁力で前記軸部材及びハブ４を回転させるディスク装置のスピンドルモータにおいて，
　前記動圧流体軸受部は，円筒部１ａと，該円筒部１ａの内周に固着されたスリーブ２と，軸３およびスラストプレート５を有する軸部材と，前記スリーブ２の内周面のラジアル軸受面２ｒと前記軸３の外周面のラジアル受面３ｒとの間の軸受すきまに発生する潤滑剤の動圧で前記軸３をラジアル方向に非接触支持するラジアル流体軸受Ｒと，スラスト軸受すきまに発生する潤滑剤の動圧で前記スラストプレート５をスラスト方向に非接触支持するスラスト流体軸受Ｓとを備え，
　前記スリーブ２が快削黄銅からなり，前記円筒部１ａに固着されているディスク装置のスピンドルモータ。」
　　　　　　
（２−２）周知例１
　　　　
　・「【０００１】
【発明の属する技術分野】本発明は、情報機器，音響・映像機器，事務機器用の流体軸受装置に係り、特に、ノート型パソコン等に使用される磁気ディスク装置（ＨＤＤ），ファンモータ等に最適な流体軸受装置に関する。」
　　　　
　・「【００７１】・・・また、軸１３，スリーブ１２等のスピンドルモータを構成する部材の材質は、特に限定されるものではなく、スピンドルモータを構成する部材に通常使用されるステンレス鋼，銅合金，焼結金属，焼結含油金属，プラスチック，セラミック等の材料であれば問題なく使用できる。」
　　　　
（２−３）周知例２
　・「【００２３】
【実施例】図１は本願第１発明に係る第１実施例の扁平モータの断面図である。図１に示す扁平モータ１１において、軸受スリーブ２の内部軸方向には一対の軸受メタル１２ａ，１２ｂが固定されており、この軸受メタル１２ａ，１２ｂに回転軸１３が回転可能に支持されている。」
　　　
　・「【００２６】更に、軸受スリーブ２は、永久磁石１９による回転軸１３の傾きと逆方向に同じ傾きをもつように、シャーシ１のセンター穴１ｄに浮いた状態で組付けられ、この浮き状態の位置決め後の仮固定は接着剤３６で行われ、最終的にはレーザ溶接で組付け固定されている。」
　　　
　・「【００３１】次に、シャーシ１のセンター穴１ｄの周囲と軸受スリーブ２のフランジ部との隙間に接着剤３６を充填して硬化させることで仮固定する。最後に、レーザ溶接にてシャーシ１と軸受スリーブ２を固定する。図３はレーザ溶接の第１実施例を示す説明図である。図３（Ａ）に示すように、シャーシ１のセンター穴１ｄの周縁部の複数個所をレーザ光出射ユニット４１からのレーザ光４２で照射し、その部分に溶接点４３を形成される。例えば図３（Ｂ）に示すように、等間隔で３個所の溶接点４３が形成される。」
　　　　
３．対比
　本願発明と引用発明とを対比すると，その機能・作用からみて，後者における「ハブ４」が前者における「ディスクハブ」に相当し，以下同様に，「動圧流体軸受部」は「動圧軸受装置」に，「ロータ磁石９」は「ロータ」にそれぞれ相当している。
　また，後者の「円筒部１ａ」と前者の「ハウジング」とは，いずれも軸受スリーブを支持する部材であるから「支持部材」との概念で共通する。
　加えて，後者の「固着された」は前者の「固定された」に，「スリーブ２」は「軸受スリーブ」に，「軸３」は「軸部」に，「スラストプレート５」は「フランジ部」に，「スリーブ２の内周面のラジアル軸受面２ｒ」は「軸受スリーブの内周面」に，「軸３の外周面のラジアル受面３ｒ」は「軸部の外周面」に，「軸受すきま」は「ラジアル軸受隙間」に，「発生する」は「生じる」に，「潤滑剤」は「潤滑油」に，「動圧」は「動圧作用」に，「ラジアル流体軸受Ｒ」は「ラジアル軸受部」に，「スラスト軸受すきま」は「スラスト軸受隙間」に，「スラスト流体軸受Ｓ」は「スラスト軸受部」に，それぞれ相当している。
　また，後者の「スリーブ２が快削黄銅からな」る態様と，前者の「軸受スリーブが焼結金属で形成され」る態様とは，「軸受スリーブが金属で形成され」るとの概念で共通する。
　さらに，後者の「（スリーブ２が）円筒部１ａに固着されている」態様と，前者の「（軸受スリーブが）ハウジングにレーザビーム溶接又は高周波パルス接合で固定されている」態様とは，「（軸受スリーブが）支持部材に固定されている」との概念で共通する。
　　　　
　したがって，本願発明と引用発明とは，
「軸部材と、該軸部材と一体に回転するディスクハブと、該軸部材を回転自在に非接触支持する動圧軸受装置とを備え、ステータとロータとの間の励磁力で前記軸部材及びディスクハブを回転させるディスク装置のスピンドルモータにおいて、
　前記動圧軸受装置は、支持部材と、該支持部材の内周に固定された軸受スリーブと、軸部およびフランジ部を有する軸部材と、前記軸受スリーブの内周面と前記軸部の外周面との間のラジアル軸受隙間に生じる潤滑油の動圧作用で前記軸部をラジアル方向に非接触支持するラジアル軸受部と、スラスト軸受隙間に生じる潤滑油の動圧作用で前記フランジ部をスラスト方向に非接触支持するスラスト軸受部とを備え、
　前記軸受スリーブが金属で形成され、前記支持部材に固定されているディスク装置のスピンドルモータ。」の点で一致し，以下の点で相違する。
　　　
［相違点１］
　軸受スリーブを支持する支持部材に関して，本願発明では，「ハウジング」であるのに対し，引用発明では「円筒部」である点。
　　
［相違点２］
　軸受スリーブの材質に関し，本願発明では「焼結金属」であるのに対し，引用発明では，「快削黄銅」である点。
　　
［相違点３］　
　軸受スリーブと支持部材との固定手段に関し，本願発明では，「レーザビーム溶接又は高周波パルス接合」で固定しているのに対し，引用発明ではそのような特定はなされていない点。
　　
４．判断
　上記各相違点について以下検討する。
・相違点１について
　周知例２に開示されるように，スピンドルモータの軸受装置において，軸部（回転軸１３）を支持する軸受スリーブ（軸受メタル１２ａ）をハウジング（軸受スリーブ２）で支持するよう構成することは，周知技術である。
　したがって，引用発明において，上記周知技術を採用して，相違点１に係る本願発明の構成とすることは，当業者が容易になし得るものである。
　　
・相違点２について
　周知例１（【００７１】段落参照）や特開２００１−２７１８２９号公報（【００１８】段落参照）に開示されるように，スピンドルモータの軸受スリーブ（スリーブ１２，軸受部材７）を焼結金属で形成することは周知技術である。
　したがって，引用発明において，上記周知技術を採用して，相違点２に係る本願発明の構成とすることは，当業者が容易になし得るものである。
　　
・相違点３について
　スピンドルモータにおいて，軸受装置を構成する部品をレーザビーム溶接で固定することは，周知例２（【００３１】段落，図３等を参照。シャーシ１と軸受スリーブ２とをレーザ溶接で固定する点。）や特開平６−３３９２４６号公報（【００２３】段落，図１，図２等を参照。ハウジング１７の平坦部１９とラジアル軸受１４（本願発明の軸受スリーブに相当）とをレーザ溶接で固定する点。）に開示されるように周知技術である。
　そして，軸受装置を構成する部品の一つである軸受スリーブとその支持部材としてのハウジングとをレーザビーム溶接で固定することに格別の阻害要因が存在するとは認められないから，引用発明において，相違点１に係る構成を採用して軸受スリーブをハウジングで支持するよう構成するに際し，上記周知技術を採用して，軸受スリーブをハウジングにレーザビーム溶接で固定するよう構成して，相違点３に係る本願発明の構成とすることは，当業者が容易になし得るものである。
　　
　そして，本願発明の奏する作用効果は，引用発明及び上記各周知技術から当業者が予測し得る範囲内のものである。
　　　
　よって，本願発明は，引用発明及び上記各周知技術に基づいて，当業者が容易に発明をすることができたものであるので，特許法第２９条第２項の規定により特許を受けることができない。
　　
５．むすび
　以上のとおりであるから，本願発明は，特許法第２９条第２項の規定により特許を受けることができない。
　よって，結論のとおり審決する。